(57)【要約】【課題】クリーニングシートのみを収納するような収納部を設ける必要がないため装置を小型化することができ、しかも操作者は搬送部の清掃を行うにあたり特段の操作を行う必要がないため操作者の作業負荷を軽減することができる紙葉類処理装置、カセット、クリーニングシートおよび紙葉類処理方法を提供する。【解決手段】紙葉類処理装置（例えば、紙幣処理ユニット２１０）は、カセットから繰り出されるクリーニングシートを検知するためのクリーニングシート検知手段（例えば、紙葉類検知センサ２４２）と、カセットから繰り出されるクリーニングシートがクリーニングシート検知手段により検知されると、搬送部２３０における所定の経路を通った後にカセットに戻すようにクリーニングシートを搬送するよう搬送部２３０を制御する制御部２４０とを備えている。【選択図】図５
2017156992.tif 000002
【特許請求の範囲】
【請求項１】
紙葉類およびクリーニングシートを搬送するための搬送部と、
筐体に対して着脱自在となっており、紙葉類およびクリーニングシートが収納されるとともに収納されている紙葉類およびクリーニングシートを前記搬送部に繰出可能となっているカセットであって、紙葉類およびクリーニングシートが前記搬送部に繰り出される際にクリーニングシートが最後に繰り出されるようなカセットと、
前記搬送部または前記カセットに設けられ、前記カセットから繰り出されるクリーニングシートを検知するためのクリーニングシート検知手段と、
前記カセットから繰り出されるクリーニングシートが前記クリーニングシート検知手段により検知されると、前記搬送部における所定の経路を通った後に前記カセットに戻すようにクリーニングシートを搬送するよう前記搬送部を制御する制御部と、
を備えた、紙葉類処理装置。
【請求項２】
クリーニングシートの使用回数を計数する使用回数計数手段と、
前記使用回数計数手段により計数された使用回数が予め設定された所定の回数に達した場合に、クリーニングシートの使用回数が予め設定された所定の回数に達したことを報知する第１報知手段と、
を更に備えた、請求項１記載の紙葉類処理装置。
【請求項３】
前記カセットには、クリーニングシートの使用回数を記録する記録媒体が設けられており、
前記カセットが装着されているときにクリーニングシートが使用されるとクリーニングシートが使用されたという情報を前記記録媒体に書き込む書込部と、
前記カセットが装着されているときに前記記録媒体からクリーニングシートの使用回数を読み取る読取部と、
前記読取部により読み取られた使用回数が予め設定された所定の回数に達した場合に、クリーニングシートの使用回数が予め設定された所定の回数に達したことを報知する第２報知手段と、
を更に備えた、請求項１記載の紙葉類処理装置。
【請求項４】
前記カセットは、紙葉類およびクリーニングシートが積層状態で収納されるような構成となっている、請求項１乃至３のいずれか一項に記載の紙葉類処理装置。
【請求項５】
前記カセットにおいて、紙葉類およびクリーニングシートの出入り口とは最も遠い側にクリーニングシートが収納されている、請求項１乃至４のいずれか一項に記載の紙葉類処理装置。
【請求項６】
前記搬送部には、当該搬送部により搬送される紙葉類の識別を行う識別部が設けられており、
前記制御部は、前記カセットから繰り出されるクリーニングシートが前記クリーニングシート検知手段により検知されると、前記搬送部に設けられた前記識別部を通過して当該識別部を清掃するようにクリーニングシートを搬送するよう前記搬送部を制御するようになっている、請求項１乃至５のいずれか一項に記載の紙葉類処理装置。
【請求項７】
前記カセットは、複数の前記紙葉類処理装置で共用されるようになっている、請求項１乃至６のいずれか一項に記載の紙葉類処理装置。
【請求項８】
紙葉類処理装置の筐体に着脱自在に設けられ、紙葉類およびクリーニングシートが収納されるとともに収納されている紙葉類およびクリーニングシートを前記紙葉類処理装置の搬送部に繰出可能となっているカセットであって、
紙葉類およびクリーニングシートが前記搬送部に繰り出される際にクリーニングシートが最後に繰り出されるような構成となっている、カセット。
【請求項９】
紙葉類およびクリーニングシートが積層状態で収納されるような構成となっている、請求項８記載のカセット。
【請求項１０】
紙葉類およびクリーニングシートの出入り口とは最も遠い側にクリーニングシートが収納されている、請求項８または９記載のカセット。
【請求項１１】
クリーニングシートの使用回数を記録する記録媒体を更に備えた、請求項８乃至１０のいずれか一項に記載のカセット。
【請求項１２】
紙葉類処理装置の筐体に着脱自在に設けられ、紙葉類を収納可能なカセットに収納され、
前記紙葉類処理装置に前記カセットが装着されることにより当該カセットから前記紙葉類処理装置の搬送部に繰り出されることによって当該搬送部の清掃を行う、クリーニングシート。
【請求項１３】
カセットから紙葉類を搬送部に繰り出し、繰り出された紙葉類を前記搬送部により搬送する工程と、
前記カセットから紙葉類が全て前記搬送部に繰り出された後に、当該カセットからクリーニングシートを前記搬送部に繰り出し、繰り出されたクリーニングシートを前記搬送部により搬送し、前記搬送部における所定の経路を通った後にクリーニングシートを前記カセットに戻す工程と、
を備えた、紙葉類処理方法。
【発明の詳細な説明】
【技術分野】
【０００１】
本発明は、紙幣等の紙葉類の処理を行う紙葉類処理装置、このような紙葉類処理装置で用いられるカセット、このようなカセットに収納されるクリーニングシートおよびこのような紙葉類処理装置による紙葉類処理方法に関する。
【背景技術】
【０００２】
紙幣の入金処理や出金処理等の様々な処理を行う紙幣処理装置として従来から様々なタイプのものが知られている。あるタイプの紙幣処理装置では、クリーニングシートを収納するクリーニングシート収納部が設けられており、操作者がこのクリーニングシート収納部からクリーニングシートを筐体の外部に取り出して紙幣投入部に投入することにより筐体の内部でクリーニングシートが搬送部により搬送され、このことにより搬送部が清掃されるようになっている。しかしながら、このようなタイプの紙幣処理装置では、クリーニングシート収納部からクリーニングシートを取り出して紙幣投入部に投入する作業は操作者にとって面倒であり、クリーニングシートを用いた搬送部の清掃を操作者が怠ってしまいがちであるという問題がある。また、搬送部の清掃を行った後にクリーニングシートをクリーニングシート収納部に戻し忘れてしまうことにより、クリーニングシートを紛失してしまうおそれがある。
【０００３】
これに対し、特許文献１には、紙幣収納部の近傍に、パトロール券を収納した検査券収容部が設けられているような紙幣入出金ユニットが開示されている。特許文献１に開示されるような紙幣入出金ユニットでは、検査券収容部に収納されているパトロール券は紙幣と同一寸法を有するシート状の基材を備えており、この基材の両表面には、研磨材あるいは清掃材が被着されている。そして、検査券収容部から取り出されたパトロール券は搬送機構により搬送路を通して搬送され、その際に、研磨材によって搬送ローラ表面を研磨し、あるいは、清掃材により搬送路に設けられた検出器の検出部を清掃するようになっている。
【先行技術文献】
【特許文献】
【０００４】
【特許文献１】特開平０８−３３９４６５号公報
【発明の概要】
【発明が解決しようとする課題】
【０００５】
しかしながら、特許文献１等に開示されるような従来の紙幣入出金ユニットでは、パトロール券を収納した検査券収容部を紙幣収納部とは別に設ける必要があるため、このような検査券収容部の設置スペースが必要となり、紙幣入出金ユニットが大型化してしまうという問題がある。また、使用後のパトロール券は金庫カセットのリジェクト庫に搬送されて収納されるため、検査券収容部にパトロール券を定期的に補充しなければならず操作者にとって面倒であるという問題がある。
【０００６】
本発明は、このような点を考慮してなされたものであり、クリーニングシートのみを収納するような収納部を設ける必要がないため装置を小型化することができ、しかも操作者は搬送部の清掃を行うにあたり特段の操作を行う必要がないため操作者の作業負荷を軽減することができる紙葉類処理装置、カセット、クリーニングシートおよび紙葉類処理方法を提供することを目的とする。
【課題を解決するための手段】
【０００７】
本発明の紙葉類処理装置は、紙葉類およびクリーニングシートを搬送するための搬送部と、筐体に対して着脱自在となっており、紙葉類およびクリーニングシートが収納されるとともに収納されている紙葉類およびクリーニングシートを前記搬送部に繰出可能となっているカセットであって、紙葉類およびクリーニングシートが前記搬送部に繰り出される際にクリーニングシートが最後に繰り出されるようなカセットと、前記搬送部または前記カセットに設けられ、前記カセットから繰り出されるクリーニングシートを検知するためのクリーニングシート検知手段と、前記カセットから繰り出されるクリーニングシートが前記クリーニングシート検知手段により検知されると、前記搬送部における所定の経路を通った後に前記カセットに戻すようにクリーニングシートを搬送するよう前記搬送部を制御する制御部と、を備えたことを特徴とする。
【０００８】
このような紙葉類処理装置によれば、紙葉類がカセットから繰り出されて例えば紙葉類処理装置の筐体の内部に収納される際にクリーニングシートが紙葉類の次に繰り出されるようにし、カセットから繰り出されるクリーニングシートがクリーニングシート検知手段により検知されると、搬送部における所定の経路を通った後にカセットにクリーニングシートを戻すことにより、クリーニングシートのみを収納するような収納部を設ける必要がないため装置を小型化することができ、しかも操作者は搬送部の清掃を行うにあたり特段の操作を行う必要がないため操作者の作業負荷を軽減することができる。
【０００９】
本発明の紙葉類処理装置は、クリーニングシートの使用回数を計数する使用回数計数手段と、前記使用回数計数手段により計数された使用回数が予め設定された所定の回数に達した場合に、クリーニングシートの使用回数が予め設定された所定の回数に達したことを報知する第１報知手段と、を更に備えていてもよい。
【００１０】
あるいは、本発明の紙葉類処理装置においては、前記カセットには、クリーニングシートの使用回数を記録する記録媒体が設けられており、前記カセットが装着されているときにクリーニングシートが使用されるとクリーニングシートが使用されたという情報を前記記録媒体に書き込む書込部と、前記カセットが装着されているときに前記記録媒体からクリーニングシートの使用回数を読み取る読取部と、前記読取部により読み取られた使用回数が予め設定された所定の回数に達した場合に、クリーニングシートの使用回数が予め設定された所定の回数に達したことを報知する第２報知手段と、を更に備えていてもよい。
【００１１】
本発明の紙葉類処理装置においては、前記カセットは、紙葉類およびクリーニングシートが積層状態で収納されるような構成となっていてもよい。
【００１２】
本発明の紙葉類処理装置においては、前記カセットにおいて、紙葉類およびクリーニングシートの出入り口とは最も遠い側にクリーニングシートが収納されていてもよい。
【００１３】
本発明の紙葉類処理装置においては、前記搬送部には、当該搬送部により搬送される紙葉類の識別を行う識別部が設けられており、前記制御部は、前記カセットから繰り出されるクリーニングシートが前記クリーニングシート検知手段により検知されると、前記搬送部に設けられた前記識別部を通過して当該識別部を清掃するようにクリーニングシートを搬送するよう前記搬送部を制御するようになっていてもよい。
【００１４】
本発明の紙葉類処理装置においては、前記カセットは、複数の前記紙葉類処理装置で共用されるようになっていてもよい。
【００１５】
本発明のカセットは、紙葉類処理装置の筐体に着脱自在に設けられ、紙葉類およびクリーニングシートが収納されるとともに収納されている紙葉類およびクリーニングシートを前記紙葉類処理装置の搬送部に繰出可能となっているカセットであって、紙葉類およびクリーニングシートが前記搬送部に繰り出される際にクリーニングシートが最後に繰り出されるような構成となっていることを特徴とする。
【００１６】
このようなカセットによれば、紙葉類がカセットから繰り出されて例えば紙葉類処理装置の筐体の内部に収納される際にクリーニングシートが紙葉類の次に繰り出されるようにすることによって、当該カセットが装着された紙葉類処理装置の搬送部をクリーニングシートにより確実に清掃することができる。
【００１７】
本発明のカセットにおいては、紙葉類およびクリーニングシートが積層状態で収納されるような構成となっていてもよい。
【００１８】
本発明のカセットにおいては、紙葉類およびクリーニングシートの出入り口とは最も遠い側にクリーニングシートが収納されていてもよい。
【００１９】
本発明のカセットは、クリーニングシートの使用回数を記録する記録媒体を更に備えていてもよい。
【００２０】
本発明のクリーニングシートは、紙葉類処理装置の筐体に着脱自在に設けられ、紙葉類を収納可能なカセットに収納され、前記紙葉類処理装置に前記カセットが装着されることにより当該カセットから前記紙葉類処理装置の搬送部に繰り出されることによって当該搬送部の清掃を行うことを特徴とする。
【００２１】
このようなクリーニングシートによれば、当該クリーニングシートが収納されているカセットが紙葉類処理装置に装着されたときに、当該紙葉類処理装置の搬送部をクリーニングシートにより確実に清掃することができる。
【００２２】
本発明の紙葉類処理方法は、カセットから紙葉類を搬送部に繰り出し、繰り出された紙葉類を前記搬送部により搬送する工程と、前記カセットから紙葉類が全て前記搬送部に繰り出された後に、当該カセットからクリーニングシートを前記搬送部に繰り出し、繰り出されたクリーニングシートを前記搬送部により搬送し、前記搬送部における所定の経路を通った後にクリーニングシートを前記カセットに戻す工程と、を備えたことを特徴とする。
【００２３】
このような紙葉類処理方法によれば、紙葉類がカセットから繰り出されて例えば紙葉類処理装置の筐体の内部に収納される際にクリーニングシートが紙葉類の次に繰り出されるようにし、繰り出されたクリーニングシートを搬送部により搬送し、搬送部における所定の経路を通った後にクリーニングシートをカセットに戻すことにより、クリーニングシートのみを収納するような収納部を設ける必要がないため装置を小型化することができ、しかも操作者は搬送部の清掃を行うにあたり特段の操作を行う必要がないため操作者の作業負荷を軽減することができる。
【発明の効果】
【００２４】
本発明の紙葉類処理装置、カセット、クリーニングシートおよび紙葉類処理方法によれば、クリーニングシートのみを収納するような収納部を設ける必要がないため装置を小型化することができ、しかも操作者は搬送部の清掃を行うにあたり特段の操作を行う必要がないため操作者の作業負荷を軽減することができる。
【図面の簡単な説明】
【００２５】
【図１】本発明の実施の形態における貨幣管理システムの構成を概略的に説明するための概略構成図である。
【図２】図１に示す貨幣管理システムにおける貨幣釣銭機およびＰＯＳレジスタの外観を示す斜視図である。
【図３】図２に示す貨幣釣銭機における紙幣処理ユニットの内部構成を側方から見たときの構成図である。
【図４】図１に示す貨幣管理システムにおいて貨幣入出金機のカセット装着部および貨幣釣銭機のカセット装着部にそれぞれ着脱自在に装着可能となっている紙幣収納カセットの外観を示す斜視図である。
【図５】図４に示す紙幣収納カセットの内部に収納されるクリーニングシートおよび紙幣を示す側面図である。
【図６】図２に示す貨幣釣銭機における紙幣処理ユニットの制御系の構成を示す機能ブロック図である。
【図７】本発明の実施の形態における他の紙幣収納カセットの内部構成を側方から見たときの構成図である。
【発明を実施するための形態】
【００２６】
以下、図面を参照して本発明の実施の形態について説明する。図１乃至図７は、本実施の形態による貨幣管理システムおよびこのような貨幣管理システムに設けられた貨幣釣銭機を示す図である。このうち、図１は、本実施の形態における貨幣管理システムの構成を概略的に説明するための概略構成図であり、図２は、図１に示す貨幣管理システムにおける貨幣釣銭機およびＰＯＳレジスタの外観を示す斜視図であり、図３は、図２に示す貨幣釣銭機における紙幣処理ユニットの内部構成を側方から見たときの構成図である。また、図４は、図１に示す貨幣管理システムにおいて貨幣入出金機のカセット装着部および貨幣釣銭機のカセット装着部にそれぞれ着脱自在に装着可能となっている紙幣収納カセットの外観を示す斜視図である。また、図５は、図４に示す紙幣収納カセットの内部に収納されるクリーニングシートおよび紙幣を示す側面図である。また、図６は、図２に示す貨幣釣銭機における紙幣処理ユニットの制御系の構成を示す機能ブロック図である。また、図７は、本実施の形態における他の紙幣収納カセットの内部構成を側方から見たときの構成図である。
【００２７】
図１に示すように、コンビニエンスストアやスーパーマーケット等の商業施設の店舗４２０において、顧客が立ち入ることができるフロント領域には様々な商品が陳列された商品棚が設置されているとともに、このフロント領域の精算所には貨幣釣銭機２００やＰＯＳレジスタ２９０が設置されている。顧客がこのような精算所で精算処理を行う際に、店員は、顧客から受け取った商品の代金としての貨幣を貨幣釣銭機２００に入金したり、釣銭としての貨幣を貨幣釣銭機２００から出金して顧客に返却したりするようになっている。また、ＰＯＳレジスタ２９０により、顧客が購入した商品に係る情報や貨幣釣銭機２００に収納されている貨幣に係る情報等の管理が行われるようになっている。また、このような店舗４２０における顧客の立ち入りが禁止されたバックヤード領域（具体的には、例えば入金室）には、貨幣釣銭機２００から回収された売上金としての貨幣を入金する出納機等の貨幣入出金機１００が設置されている。また、貨幣釣銭機２００において釣銭としての貨幣が不足する場合には、貨幣入出金機１００から釣銭補充金としての貨幣を出金し、この貨幣入出金機１００から出金された釣銭補充金としての貨幣を貨幣釣銭機２００に補充することができるようになっている。本実施の形態では、このような貨幣入出金機１００および貨幣釣銭機２００を組み合わせることにより貨幣管理システム１が構成されている。
【００２８】
図１に示すように、店舗４２０のバックヤード領域に設けられた貨幣入出金機１００は、紙幣の入金処理および出金処理を行う紙幣処理ユニット１１０、硬貨の入金処理および出金処理を行う硬貨処理ユニット１５０、および包装硬貨（同一金種の硬貨を一定枚数（例えば、２０枚や５０枚）だけ棒状にまとめてフィルムや包装紙等により包装したもの）を収納する包装硬貨収納ユニット１８０を備えている。また、店舗４２０のフロント領域に設けられた貨幣釣銭機２００は、紙幣の入金処理および出金処理を行う紙幣処理ユニット２１０、硬貨の入金処理および出金処理を行う硬貨処理ユニット２５０、および包装硬貨を収納する包装硬貨収納ユニット２８０を備えている。
【００２９】
また、図１に示すように、本実施の形態による貨幣管理システム１では、警送会社４１０の警備員等により、貨幣入出金機１００から、紙幣や硬貨が収納されている回収カセットが取り出され、これらの回収カセットごと紙幣や硬貨が貨幣入出金機１００から警送会社４１０に回収されるようになっている。また、警送会社４１０の警備員は、貨幣釣銭機２００で用いられる釣銭準備金としての貨幣を警送会社４１０から店舗４２０に運搬し、この店舗４２０に設けられた金庫４２２に収納させるようになっている。そして、貨幣入出金機１００において上記の釣銭準備金としての貨幣が不足した場合には、店舗４２０の管理者は、金庫４２２から貨幣を取り出して貨幣入出金機１００に入金するようになっている。
【００３０】
また、図１に示すように、本実施の形態による貨幣管理システム１では、貨幣入出金機１００はＬＡＮ４０４を介して店舗４２０の外部に設けられたターミナル４００やユーザーサーバー４０２に通信可能に接続されており、これらのターミナル４００やユーザーサーバー４０２により、貨幣入出金機１００における貨幣の在高や、警送会社４１０の警備員等や店舗４２０の店員等の操作者の情報が管理されるようになっている。
【００３１】
次に、このような貨幣管理システム１における貨幣釣銭機２００の構成の詳細について説明する。なお、店舗４２０のバックヤード領域に設けられた貨幣入出金機１００の構成の詳細については説明を省略する。
【００３２】
図２に示すように、本実施の形態による貨幣釣銭機２００は、上下に並ぶよう配置された硬貨処理ユニット２５０および包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置されるようになっている。紙幣処理ユニット２１０および硬貨処理ユニット２５０は、それぞれ硬貨や紙幣の入出金処理を行うようになっている。また、包装硬貨収納ユニット２８０は、各金種の包装硬貨を取り出し可能に収納するようになっている。また、ＰＯＳレジスタ２９０は、貨幣釣銭機２００の管理を行う管理装置として用いられるようになっている。
【００３３】
以下、紙幣処理ユニット２１０の構成について図２および図３を用いて具体的に説明する。なお、硬貨処理ユニット２５０、包装硬貨収納ユニット２８０およびＰＯＳレジスタ２９０の構成の詳細については説明を省略する。
【００３４】
図２および図３に示すように、紙幣処理ユニット２１０は、略直方体形状の筐体２１２と、筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備えている。なお、図３において、筐体２１２の右側の側面が紙幣処理ユニット２１０の手前側の面となっており、図３における左向きの方向が紙幣処理ユニット２１０の奥行き方向となっている。図３に示すように、搬送部２３０は、筐体２１２の中央位置に配置された周回搬送部２３０ａおよび複数の接続搬送部２３０ｂから構成されている。また、紙幣受入部２２０、紙幣払出部２２２、出金リジェクト部２２４、後述する紙幣収納カセット３００を着脱自在に装着可能なカセット装着部２２６および３つの紙幣収納部２３４、２３６、２３８が、それぞれ、周回搬送部２３０ａを取り囲むよう配置されている。また、図３に示すように、複数の接続搬送部２３０ｂの各々により、紙幣受入部２２０、紙幣払出部２２２、出金リジェクト部２２４、カセット装着部２２６および３つの紙幣収納部２３４、２３６、２３８の各々と、周回搬送部２３０ａとの間をそれぞれ接続するようになっている。また、周回搬送部２３０ａには識別部２３２が設けられており、この識別部２３２は、周回搬送部２３０ａにより搬送される紙幣の金種、真偽、正損、表裏、新旧、搬送状態等の識別を行うようになっている。ここで、本実施の形態では、識別部２３２として例えばラインセンサが用いられるようになっている。
【００３５】
周回搬送部２３０ａは、図３における時計回りの方向および反時計回りの方向の両方向に紙幣を１枚ずつ搬送することができるようになっている。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００３６】
図２および図３に示すように、筐体２１２の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより紙幣収納カセット３００をカセット装着部２２６に装着させたりこのカセット装着部２２６から紙幣収納カセット３００を取り出したりすることができるようになっている。また、図６に示すように、カセット装着部２２６には、当該カセット装着部２２６に装着された紙幣収納カセット３００に設けられている記録媒体３０４（後述）に様々な情報を書き込む書込部２２８および当該記録媒体３０４から様々な情報を読み取る読取部２２９がそれぞれ設けられている。書込部２２８により記録媒体３０４に書き込まれる情報や読取部２２９により記録媒体３０４から読み取られる情報の詳細については後述する。
【００３７】
また、図３に示すように、筐体２１２の内部において、カセット装着部２２６に装着された紙幣収納カセット３００の紙幣の出入り口の近傍には、この紙幣収納カセット３００から筐体２１２の内部に繰り出された紙幣や後述するクリーニングシート等の紙葉類を検知するための紙葉類検知センサ２４２が設けられている。ここで、紙葉類検知センサ２４２は、検知された紙葉類が紙幣およびクリーニングシートの何れであるかも検知することができるようになっている。
【００３８】
紙幣受入部２２０には紙幣繰出機構２２１が設けられており、紙幣受入口２２０ａに１枚あるいは複数枚の紙幣が投入されたことが検知されると紙幣繰出機構２２１が駆動されることにより紙幣が接続搬送部２３０ｂを介して周回搬送部２３０ａ側へ１枚ずつ繰り出されるようになっている。
【００３９】
紙幣払出部２２２は、各紙幣収納部２３４、２３６、２３８から周回搬送部２３０ａに繰り出された紙幣を紙幣取出口２２２ａにより筐体２１２の外部へ放出するようになっている。
【００４０】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納するようになっている。また、紙幣受入部２２０から筐体２１２の内部に取り込まれた紙幣のうち、入金処理時において汚損等により識別部２３２で識別することができない紙幣は入金リジェクト紙幣として紙幣払出部２２２に返却されるようになっている。
【００４１】
各紙幣収納部２３４、２３６、２３８は、識別部２３２の識別結果に基づいて紙幣を金種別に収納するようになっている。これらの紙幣収納部２３４、２３６、２３８には、紙幣処理ユニット２１０に入金された売上金としての紙幣や釣銭として出金されるべき紙幣が収納されるようになっている。具体的には、例えば紙幣収納部２３４には千円札が収納され、紙幣収納部２３６には二千円札および五千円札が混合状態で収納され、紙幣収納部２３８には一万円札が収納されるようになっている。また、各紙幣収納部２３４、２３６、２３８にはそれぞれ紙幣繰出機構２３５、２３７、２３９が設けられており、これらの紙幣収納部２３４、２３６、２３８に収納されている紙幣は各紙幣繰出機構２３５、２３７、２３９により接続搬送部２３０ｂを介して周回搬送部２３０ａ側へ１枚ずつ繰り出されるようになっている。
【００４２】
次に、貨幣入出金機１００と貨幣釣銭機２００との間で紙幣の受け渡しを行うための紙幣収納カセット３００の構成について図４および図５を用いて説明する。図４および図５に示すように、紙幣収納カセット３００は略直方体形状のケーシング３０１を有しており、当該ケーシング３０１の内部に紙幣が積層状態で収納されるようになっている。また、上述したように、紙幣収納カセット３００は貨幣入出金機１００のカセット装着部（図示せず）および貨幣釣銭機２００のカセット装着部２２６にそれぞれ着脱自在に装着されるようになっている。また、紙幣収納カセット３００のケーシング３０１の側面には開口３０２が形成されており、紙幣収納カセット３００が貨幣入出金機１００のカセット装着部や貨幣釣銭機２００のカセット装着部２２６に装着されているときに、貨幣入出金機１００の紙幣処理ユニット１１０に設けられた搬送部（図示せず）や貨幣釣銭機２００の紙幣処理ユニット２１０に設けられた搬送部２３０から当該開口３０２を介して紙幣が紙幣収納カセット３００の内部に送られたり、紙幣収納カセット３００に収納されている紙幣が開口３０２を介して貨幣入出金機１００の紙幣処理ユニット１１０の搬送部や貨幣釣銭機２００の紙幣処理ユニット２１０の搬送部２３０に繰り出されたりするようになっている。
【００４３】
より詳細には、図５に示すように、紙幣収納カセット３００の内部には、当該紙幣収納カセット３００に収納されている紙幣を開口３０２からケーシング３０１の外部に繰り出す循環ベルト等の紙幣繰出機構３０６が設けられている。また、紙幣収納カセット３００が貨幣入出金機１００のカセット装着部や貨幣釣銭機２００のカセット装着部２２６に装着されているときに、貨幣入出金機１００の紙幣処理ユニット１１０側や貨幣釣銭機２００の紙幣処理ユニット２１０側から紙幣収納カセット３００の紙幣繰出機構３０６に動力が伝達されるようになっている。このように、紙幣収納カセット３００が貨幣入出金機１００のカセット装着部や貨幣釣銭機２００のカセット装着部２２６から取り出された状態では当該紙幣収納カセット３００に収納されている紙幣をケーシング３０１の外部に繰り出させることができないため、紙幣収納カセット３００に収納されている紙幣のセキュリティ性を向上させることができる。
【００４４】
また、図４に示すように、紙幣収納カセット３００のケーシング３０１の側面にはＩＣチップ等の記録媒体３０４が設けられている。そして、紙幣収納カセット３００が貨幣入出金機１００のカセット装着部や貨幣釣銭機２００のカセット装着部２２６に装着されているときに、貨幣入出金機１００のカセット装着部に設けられた書込部（図示せず）や貨幣釣銭機２００のカセット装着部２２６に設けられた書込部２２８により記録媒体３０４に様々な情報を書き込んだり、貨幣入出金機１００のカセット装着部に設けられた読取部（図示せず）や貨幣釣銭機２００のカセット装着部２２６に設けられた読取部２２９により記録媒体３０４から様々な情報を読み取ったりすることができるようになっている。なお、書込部２２８により記録媒体３０４に書き込まれたり、読取部２２９により記録媒体３０４から読み取られたりする様々な情報としては、紙幣収納カセット３００に収納されている紙幣の金種毎の枚数や金種毎の金額の情報、貨幣釣銭機２００の識別情報（具体的には、レジ番号）、貨幣釣銭機２００の在高情報（具体的には、貨幣釣銭機２００に収納されている紙幣、硬貨および包装硬貨の金種毎の枚数または金種毎の金額）、貨幣釣銭機２００から回収するために出金された、紙幣収納カセット３００に収納されていない貨幣（硬貨、包装硬貨、紙幣処理ユニット２１０の紙幣取出口２２２ａ等から筐体２１２の外部に払い出された紙幣）の金種毎の枚数や金種毎の金額等が挙げられる。また、本実施の形態では、後述するクリーニングシートの使用回数に係る情報が記録媒体３０４に記録されるようになっている。
【００４５】
次に、このような貨幣釣銭機２００の紙幣処理ユニット２１０における制御系の構成について図６を用いて説明する。図６に示すように、紙幣処理ユニット２１０は制御部２４０を有しており、この制御部２４０には、操作表示部２０４、紙幣繰出機構２２１、搬送部２３０、識別部２３２、紙幣繰出機構２３５、２３７、２３９、カセット装着部２２６、書込部２２８、読取部２２９、紙葉類検知センサ２４２、使用回数計数手段２４４および通信インターフェース部２４６がそれぞれ接続されている。ここで、識別部２３２による紙幣の識別情報、紙幣収納カセット３００に設けられた記録媒体３０４から読取部２２９により読み取られた情報、および紙葉類検知センサ２４２による紙幣やクリーニングシートの検知結果等の情報が制御部２４０に送られるようになっている。また、制御部２４０は、紙幣処理ユニット２１０の各構成要素に指令信号を送ることによりこれらの構成部材の制御を行うようになっている。
【００４６】
操作表示部２０４は、硬貨処理ユニット２５０の筐体の上面に設けられたタッチパネル等からなり、操作者が操作するための操作画面や、紙幣処理ユニット２１０、硬貨処理ユニット２５０および包装硬貨収納ユニット２８０の各々に収納されている貨幣の在高に係る情報が操作表示部２０４に表示されるようになっている。また、このような操作表示部２０４において操作者は操作画面における操作ボタンに指を触れることによって制御部２４０に様々な指令を入力することができるようになっている。また、通信インターフェース部２４６は、硬貨処理ユニット２５０の制御部（図示せず）やＰＯＳレジスタ２９０のＰＯＳ制御部（図示せず）等の、紙幣処理ユニット２１０とは別に設けられた他の装置の制御部との間で信号の送受信を行うようになっている。
【００４７】
次に、このような構成からなる貨幣管理システム１における動作について説明する。本実施の形態の貨幣管理システム１において、店舗４２０の営業時間後にこの店舗４２０における売上金としての貨幣を貨幣釣銭機２００から出金（回収）して貨幣入出金機１００に収納させる際に、貨幣釣銭機２００における紙幣処理ユニット２１０に収納されている紙幣については紙幣収納カセット３００に収納させることにより紙幣収納カセット３００ごと紙幣を貨幣釣銭機２００から貨幣入出金機１００に運搬し、貨幣入出金機１００に運搬された紙幣収納カセット３００を紙幣処理ユニット１１０におけるカセット装着部に装着させることにより当該紙幣収納カセット３００に収納されている紙幣を紙幣処理ユニット１１０に収納させるようにする。一方、貨幣釣銭機２００における硬貨処理ユニット２５０に収納されている硬貨については、この硬貨処理ユニット２５０から硬貨を出金させ、出金された硬貨を操作者が例えば収納ケース等に手で収納して当該収納ケースごと貨幣釣銭機２００から貨幣入出金機１００に運搬した後、この収納ケースから硬貨を取り出して貨幣入出金機１００の硬貨処理ユニット１５０に入金するようになる。なお、本実施の形態では、複数の貨幣釣銭機２００で１つの紙幣収納カセット３００が共用されるようになっていてもよい。
【００４８】
また、釣銭補充金としての貨幣を貨幣入出金機１００から出金して貨幣釣銭機２００に装填する際に、貨幣入出金機１００における紙幣処理ユニット１１０に収納されている紙幣については紙幣収納カセット３００に収納させることにより紙幣収納カセット３００ごと紙幣を貨幣入出金機１００から貨幣釣銭機２００に運搬し、貨幣釣銭機２００に運搬された紙幣収納カセット３００を紙幣処理ユニット２１０におけるカセット装着部２２６に装着させることにより当該紙幣収納カセット３００に収納されている紙幣を紙幣処理ユニット２１０の筐体２１２の内部に収納させるようにする。一方、貨幣入出金機１００における硬貨処理ユニット１５０や包装硬貨収納ユニット１８０に収納されている硬貨や包装硬貨については、これらの硬貨処理ユニット１５０や包装硬貨収納ユニット１８０から硬貨や包装硬貨を出金させ、出金された硬貨や包装硬貨を操作者が例えば収納ケース等に手で収納して当該収納ケースごと貨幣入出金機１００から貨幣釣銭機２００に運搬した後、この収納ケースから硬貨や包装硬貨を取り出して貨幣釣銭機２００の硬貨処理ユニット２５０や包装硬貨収納ユニット２８０に装填するようになる。
【００４９】
また、本実施の形態では、紙幣処理ユニット２１０の搬送部２３０や識別部２３２の清掃を行うためのクリーニングシートが用いられるようになっている。このようなクリーニングシートは紙幣処理ユニット２１０により処理される紙幣と略同一の寸法を有しており、当該クリーニングシートは通常は紙幣収納カセット３００のケーシング３０１の底部に収納されている（図５において、紙幣収納カセット３００に収納されている紙幣を参照符合Ｐで示し、紙幣収納カセット３００に収納されているクリーニングシートを参照符合Ｃで示す）。そして、このようなクリーニングシートが収納されている紙幣収納カセット３００が紙幣処理ユニット２１０のカセット装着部２２６に装着されると、紙幣収納カセット３００からクリーニングシートが紙幣処理ユニット２１０の搬送部２３０に繰り出されることによって当該クリーニングシートにより搬送部２３０や識別部２３２の清掃が行われ、その後にクリーニングシートは再び紙幣収納カセット３００に収納されるようになっている。ここで、カセット装着部２２６に装着された紙幣収納カセット３００から紙幣処理ユニット２１０の搬送部２３０に紙幣およびクリーニングシートが繰り出される際に、クリーニングシートが最後に繰り出されるようになっている。このようなクリーニングシートによる紙幣処理ユニット２１０の搬送部２３０や識別部２３２の清掃方法の詳細について以下に説明する。
【００５０】
紙幣収納カセット３００を用いて貨幣釣銭機２００の紙幣処理ユニット２１０に紙幣を装填するにあたり、最初に、１枚のクリーニングシートのみが収納されている紙幣収納カセット３００を貨幣入出金機１００の紙幣処理ユニット１１０に設けられたカセット装着部に装着させ、この紙幣処理ユニット１１０の筐体の内部に収納されている紙幣を紙幣収納カセット３００に送ることにより当該紙幣収納カセット３００に装填用の紙幣を収納させる。この際に、図５に示すように、紙幣収納カセット３００の内部においてクリーニングシートが最下層に位置するようになり、このクリーニングシートの上に紙幣が積み重ねられるようになる。そして、貨幣入出金機１００の紙幣処理ユニット１１０に設けられたカセット装着部から紙幣収納カセット３００を取り外し、この紙幣収納カセット３００を貨幣入出金機１００から貨幣釣銭機２００に運搬する。貨幣釣銭機２００に運搬された紙幣収納カセット３００が紙幣処理ユニット２１０のカセット装着部２２６に装着されると、この紙幣収納カセット３００からまず紙幣が搬送部２３０に１枚ずつ繰り出され、繰り出された紙幣は搬送部２３０により識別部２３２に送られる。識別部２３２に送られた紙幣は当該識別部２３２により金種等の識別が行われ、正常な紙幣であると識別された紙幣は各紙幣収納部２３４、２３６、２３８に金種毎に収納される。一方、識別部２３２により正常な紙幣ではないと識別された紙幣（例えば、搬送異常の紙幣）や、識別部２３２により識別することができなかった紙幣は出金リジェクト部２２４に送られ、この出金リジェクト部２２４に集積されるようになる。
【００５１】
また、カセット装着部２２６に装着されている紙幣収納カセット３００から装填用の紙幣が全て紙幣処理ユニット２１０の搬送部２３０に繰り出され、各紙幣収納部２３４、２３６、２３８に収納された後、この紙幣収納カセット３００からクリーニングシートが紙幣処理ユニット２１０の搬送部２３０に繰り出される。ここで、紙幣収納カセット３００からクリーニングシートが紙幣処理ユニット２１０の搬送部２３０に繰り出されると、紙幣収納カセット３００から繰り出されたクリーニングシートは紙葉類検知センサ２４２により検知される。そして、紙幣収納カセット３００から繰り出されたクリーニングシートが紙葉類検知センサ２４２により検知されると、制御部２４０は、クリーニングシートが周回搬送部２３０ａを一周した後に紙幣収納カセット３００に戻るよう、搬送部２３０を制御する。このことにより、クリーニングシートによって周回搬送部２３０ａの清掃が行われるようになる。また、周回搬送部２３０ａには識別部２３２が設けられているため、クリーニングシートにより識別部２３２の清掃も行われるようになる。より詳細には、上述したように識別部２３２は例えばラインセンサから構成されており、クリーニングシートによりこのラインセンサの撮像素子が清掃されるようになっている。そして、クリーニングシートが紙幣収納カセット３００に戻され、この紙幣収納カセット３００の底部に収納された後に、カセット装着部２２６から紙幣収納カセット３００が取り外される。このようにして、紙幣収納カセット３００を用いて貨幣釣銭機２００の紙幣処理ユニット２１０に紙幣を装填する際に、搬送部２３０および識別部２３２の清掃をクリーニングシートにより行うことができるようになる。また、操作者にとっては、紙幣収納カセット３００を用いて貨幣釣銭機２００の紙幣処理ユニット２１０に紙幣を装填する際に搬送部２３０および識別部２３２の清掃が自動で行われるため、搬送部２３０および識別部２３２の清掃を行っているという認識はない。
【００５２】
また、図６に示すように、紙幣処理ユニット２１０に設けられた制御部２４０には使用回数計数手段２４４が接続されており、このような使用回数計数手段２４４によりクリーニングシートの使用回数が計数されるようになっている。そして、使用回数計数手段２４４により計数された使用回数が予め設定された所定の回数に達した場合に、クリーニングシートの使用回数が予め設定された所定の回数に達したことが操作表示部２０４に表示されるようになっている。このことにより、紙幣収納カセット３００に収納されているクリーニングシートの使用回数が多く、汚損している可能性が高いことを操作者に認識させることができるようになる。また、使用回数計数手段２４４により計数された使用回数が予め設定された所定の回数に達した場合に、紙幣収納カセット３００に収納されているクリーニングシートを交換することを操作者に促す旨のメッセージが操作表示部２０４に表示されるようになっていてもよい。
【００５３】
また、使用回数計数手段２４４により計数された使用回数が予め設定された所定の回数に達した場合に、クリーニングシートの使用回数が予め設定された所定の回数に達したことが操作表示部２０４に表示される代わりに、当該情報が通信インターフェース部２４６によりＰＯＳレジスタ２９０のＰＯＳ制御部に送信され、このＰＯＳレジスタ２９０の表示部に表示されるようになっていてもよい。
【００５４】
また、紙幣収納カセット３００に収納されているクリーニングシートの使用回数が当該紙幣収納カセット３００に設けられた記録媒体３０４に記録されるようになっていてもよい。具体的には、クリーニングシートにより搬送部２３０および識別部２３２の清掃が行われる度に、クリーニングシートを使用したという情報が書込部２２８により紙幣収納カセット３００に設けられた記録媒体３０４に書き込まれるようになっていてもよい。そして、紙幣収納カセット３００に設けられた記録媒体３０４から読取部２２９により読み取られたクリーニングシートの使用回数が所定の回数に達した場合には、クリーニングシートの使用回数が予め設定された所定の回数に達したことが操作表示部２０４やＰＯＳレジスタ２９０の表示部に表示されるようになる。この場合にも、紙幣収納カセット３００に収納されているクリーニングシートの使用回数が多く、汚損している可能性が高いことを操作者に認識させることができるようになる。
【００５５】
また、図５に示すような紙幣収納カセット３００は、紙幣やクリーニングシートを上入れ上出しするタイプのものであるが、紙幣収納カセット３００はこのような構成のものに限定されることはない。紙幣収納カセットとして、紙幣やクリーニングシートを下入れ下出しするタイプのものが用いられてもよい。この場合には、クリーニングシートは紙幣収納カセットの内部における最上層に収納されるようになる。
【００５６】
また、本実施の形態では、クリーニングシートおよび紙幣が収納される紙幣収納カセットは、図５に示すようなクリーニングシートおよび紙幣が積層状態で収納されるタイプのものに限定されることはない。クリーニングシートおよび紙幣が収納される紙幣収納カセットとして、図７に示すような、クリーニングシートおよび紙幣がテープによりドラムに巻き取られることによってこれらのクリーニングシートおよび紙幣が収納されるテープ巻取方式のものが用いられてもよい。このような紙幣収納カセットの構成の詳細について以下に説明する。
【００５７】
テープ巻取方式の紙幣収納カセット３１０は、略直方体形容のケーシング３１１を有しており、このケーシング３１１の内部には、正逆両方向に回転可能なドラム３１２が設けられている。また、ドラム３１２には一対のテープ３１４が紙幣やクリーニングシートを間に挟んだ状態で巻き取られるようになっている。また、紙幣収納カセット３１０のケーシング３１１の側面には開口３１６が形成されている。そして、このような紙幣収納カセット３１０が貨幣釣銭機２００の紙幣処理ユニット２１０に設けられたカセット装着部２２６や貨幣入出金機１００の紙幣処理ユニット１１０に設けられたカセット装着部に装着され、開口３１６を介してケーシング３１１の内部に紙幣やクリーニングシートが送られると、この送られた紙幣やクリーニングシートは一対のテープ３１４の間に挟まれた状態で１枚ずつ順次ドラム３１２により巻き取られて収納されるようになる。また、ドラム３１２を逆転させると、巻き取られた紙幣やクリーニングシートが１枚ずつ繰り出されて、開口３１６を介して紙幣処理ユニット２１０の搬送部２３０等に送られるようになる。また、図７に示すような紙幣収納カセット３１０が用いられる場合でも、紙幣およびクリーニングシートの出入り口（すなわち、開口３１６）とは最も遠い側にクリーニングシートが収納されるようになる。具体的には、クリーニングシートは、一対のテープ３１４の間におけるドラム３１２に最も近い側に収納されるようになる。このことにより、紙幣およびクリーニングシートが紙幣収納カセット３１０から繰り出される際にクリーニングシートが最後に繰り出されるようになる。また、テープ巻取方式の紙幣収納カセット３１０にも、クリーニングシートの使用回数を記録する記録媒体３０４が設けられていてもよい。
【００５８】
以上のような構成からなる本実施の形態の紙幣処理ユニット２１０（紙葉類処理装置）やこのような紙幣処理ユニット２１０のカセット装着部２２６に着脱自在となっている紙幣収納カセット３００、３１０、クリーニングシートおよびこのような紙幣処理ユニット２１０による紙葉類処理方法によれば、紙幣が紙幣収納カセット３００、３１０から繰り出されて例えば紙幣処理ユニット２１０の筐体２１２の内部に収納される際にクリーニングシートが紙幣の次に繰り出されるようにし、クリーニングシート検知手段としての紙葉類検知センサ２４２により紙幣収納カセット３００、３１０から繰り出されるクリーニングシートが検知されると、搬送部２３０における所定の経路を通った後に紙幣収納カセット３００、３１０にクリーニングシートを戻すことにより、クリーニングシートのみを収納するような収納部を設ける必要がないため装置を小型化することができ、しかも操作者は搬送部２３０の清掃を行うにあたり特段の操作を行う必要がないため操作者の作業負荷を軽減することができる。
【００５９】
また、本実施の形態の紙幣処理ユニット２１０においては、上述したように、クリーニングシートの使用回数を計数する使用回数計数手段２４４が設けられており、使用回数計数手段２４４により計数された使用回数が予め設定された所定の回数に達した場合に、クリーニングシートの使用回数が予め設定された所定の回数に達したことが操作表示部２０４に表示されるようになっている。このようにして、クリーニングシートの使用回数が予め設定された所定の回数に達したことが操作者に報知されるようになる。なお、使用回数計数手段２４４により計数された使用回数が予め設定された所定の回数に達した場合に、クリーニングシートの使用回数が予め設定された所定の回数に達したことを報知する第１報知手段は操作表示部２０４に限定されることはない。このような第１報知手段として、クリーニングシートの使用回数が予め設定された所定の回数に達したことを音声により操作者に報知するスピーカー等の他の手段が用いられてもよい。
【００６０】
また、本実施の形態の紙幣処理ユニット２１０においては、上述したように、紙幣収納カセット３００、３１０には、クリーニングシートの使用回数を記録する記録媒体３０４が設けられており、紙幣収納カセット３００、３１０が装着されているときにクリーニングシートが使用されるとクリーニングシートが使用されたという情報を記録媒体３０４に書き込む書込部２２８、紙幣収納カセット３００、３１０が装着されているときに記録媒体３０４からクリーニングシートの使用回数を読み取る読取部２２９がそれぞれ紙幣処理ユニット２１０に設けられている。また、読取部２２９により読み取られた使用回数が予め設定された所定の回数に達した場合に、クリーニングシートの使用回数が予め設定された所定の回数に達したことが操作表示部２０４に表示されるようになっている。このようにして、クリーニングシートの使用回数が予め設定された所定の回数に達したことが操作者に報知されるようになる。なお、読取部２２９により読み取られた使用回数が予め設定された所定の回数に達した場合に、クリーニングシートの使用回数が予め設定された所定の回数に達したことを報知する第２報知手段は操作表示部２０４に限定されることはない。このような第２報知手段として、クリーニングシートの使用回数が予め設定された所定の回数に達したことを音声により操作者に報知するスピーカー等の他の手段が用いられてもよい。
【００６１】
また、本実施の形態の紙幣処理ユニット２１０においては、上述したように、図５等に示すような紙幣収納カセット３００は、紙幣およびクリーニングシートが積層状態で収納されるような構成となっている。なお、上述したように、紙幣およびクリーニングシートを収納する紙幣収納カセットは図５等に示すような構成のものに限定されることはなく、図７に示すようなテープ巻取方式の紙幣収納カセット３１０が用いられてもよい。
【００６２】
また、本実施の形態の紙幣処理ユニット２１０においては、上述したように、紙幣収納カセット３００、３１０において、紙幣およびクリーニングシートの出入り口（すなわち、開口３０２、３１６）とは最も遠い側にクリーニングシートが収納されている。
【００６３】
また、本実施の形態の紙幣処理ユニット２１０においては、上述したように、搬送部２３０には、当該搬送部２３０により搬送される紙幣の識別を行う識別部２３２が設けられており、制御部２４０は、クリーニングシート検知手段としての紙葉類検知センサ２４２により紙幣収納カセット３００、３１０から繰り出されるクリーニングシートが検知されると、搬送部２３０に設けられた識別部２３２を通過して当該識別部２３２を清掃するようにクリーニングシートを搬送するよう搬送部２３０を制御するようになっている。このことにより、クリーニングシートにより識別部２３２の清掃を確実に行うことができるようになる。
【００６４】
また、本実施の形態の貨幣管理システム１では、複数の貨幣釣銭機２００の紙幣処理ユニット２１０で１つの紙幣収納カセット３００、３１０が共用されるようになっていてもよい。この場合には、１枚のクリーニングシートにより複数の貨幣釣銭機２００の紙幣処理ユニット２１０の搬送部２３０の清掃を行うことができるようになる。また、この際に、クリーニングシートの使用回数が紙幣収納カセット３００、３１０に設けられた記録媒体３０４に記録されるようになっており、紙幣収納カセット３００、３１０に設けられた記録媒体３０４から読取部２２９により読み取られたクリーニングシートの使用回数が所定の回数に達したときに、クリーニングシートの使用回数が予め設定された所定の回数に達したことが操作表示部２０４やＰＯＳレジスタ２９０の表示部に表示されるようになっている場合には、１枚のクリーニングシートにより複数の貨幣釣銭機２００の紙幣処理ユニット２１０の搬送部２３０の清掃を行うときでも、クリーニングシートの使用回数を紙幣収納カセット３００、３１０に設けられた記録媒体３０４に記録させることにより当該クリーニングシートの使用回数を操作者が認識することができるようになる。
【００６５】
なお、本発明による紙葉類処理装置やこのような紙葉類処理装置による紙葉類処理方法は、上述したような態様に限定されることはなく、様々な変更を加えることができる。
【００６６】
例えば、紙幣収納カセット３００、３１０から繰り出されるクリーニングシートを検知するクリーニングシート検知手段として機能する紙葉類検知センサ２４２を紙幣処理ユニット２１０の筐体２１２側に設ける代わりに、紙幣収納カセット３００、３１０における紙幣やクリーニングシートの出入り口（すなわち、開口３０２、３１６）の近傍に紙葉類検知センサを設けてもよい。この場合でも、紙幣収納カセット３００、３１０からクリーニングシートが紙幣処理ユニット２１０の搬送部２３０に繰り出される際に、この繰り出されるクリーニングシートを紙幣収納カセット３００、３１０の出入り口に設けられた紙葉類検知センサにより検知することができるようになる。
【００６７】
また、上記の説明では、貨幣釣銭機２００の紙幣処理ユニット２１０に設けられたカセット装着部２２６に紙幣収納カセット３００、３１０が装着されたときにこの紙幣処理ユニット２１０の搬送部２３０や識別部２３２がクリーニングシートにより清掃されるような態様について述べたが、クリーニングシートによる清掃の対象となる装置は貨幣釣銭機２００に限定されることはない。クリーニングシートの他の使用方法として、貨幣入出金機１００の紙幣処理ユニット１１０に設けられたカセット装着部に紙幣収納カセット３００、３１０が装着されたときにこの紙幣処理ユニット１１０の搬送部や識別部がクリーニングシートにより清掃されるようになっていてもよい。
【００６８】
また、上記の説明では紙幣の処理を行う紙幣処理ユニットの搬送部や識別部をクリーニングシートにより清掃するような態様について述べたが、本発明による紙葉類処理装置は紙幣の処理を行うものに限定されることはない。本発明による紙葉類処理装置として、商品券や小切手、投票用紙等の、紙幣以外の紙葉類の処理を行うものが用いられてもよく、この場合に、紙幣以外の紙葉類を搬送する搬送部やこのような紙葉類の識別を行う識別部がクリーニングシートにより清掃されるようになっていてもよい。
【符号の説明】
【００６９】
１        貨幣管理システム
１００    貨幣入出金機
１１０    紙幣処理ユニット
１５０    硬貨処理ユニット
１８０    包装硬貨収納ユニット
２００    貨幣釣銭機
２０４    操作表示部
２１０    紙幣処理ユニット
２１２    筐体
２２０    紙幣受入部
２２０ａ  紙幣受入口
２２１    紙幣繰出機構
２２２    紙幣払出部
２２２ａ  紙幣取出口
２２４    出金リジェクト部
２２６    カセット装着部
２２６ａ  扉
２２８    書込部
２２９    読取部
２３０    搬送部
２３０ａ  周回搬送部
２３０ｂ  接続搬送部
２３２    識別部
２３４、２３６、２３８  紙幣収納部
２３５、２３７、２３９  紙幣繰出機構
２４０    制御部
２４２    紙葉類検知センサ
２４４    使用回数計数手段
２４６    通信インターフェース部
２５０    硬貨処理ユニット
２８０    包装硬貨収納ユニット
２９０    ＰＯＳレジスタ
３００    紙幣収納カセット
３０１    ケーシング
３０２    開口
３０４    記録媒体
３０６    紙幣繰出機構
３１０    紙幣収納カセット
３１１    ケーシング
３１２    ドラム
３１４    テープ
３１６    開口
４００    ターミナル
４０２    ユーザーサーバー
４１０    警送会社
４２０    店舗
４２２    金庫
Ｃ        クリーニングシート
Ｐ        紙幣
【図１】
2017156992.tif 000003
【図２】
2017156992.tif 000004
【図３】
2017156992.tif 000005
【図４】
2017156992.tif 000006
【図５】
2017156992.tif 000007
【図６】
2017156992.tif 000008
【図７】
2017156992.tif 000009